(57)【特許請求の範囲】
【請求項１】
分析物濃度測定値を求めかつ記憶するようになされた計測器であって、
該計測器のユーザーに対して情報を表示するようになされたディスプレイ（１２）と、
該ユーザーのために該ディスプレイ（１２）を制御するインターフェイス（６０）にして、該ユーザーにより選択されるようになされたユーザー機能に関する複数の既定レベルを有するインターフェイス（６０）と、
該ユーザーが前記複数の既定レベルの１つを選択するのを許容するようになされた少なくとも１つのユーザー入力機構（１５）と、を備え、
前記複数の既定レベルが、少なくとも第１の既定レベルおよび第２の既定レベルを含み、前記第１の既定レベルは分析物濃度を表示することを含み、前記第２の既定レベルは分析物濃度を表示することと、前記第１の既定レベルではできない少なくとも一つの第２のレベルのユーザー機能とを含み、
前記第２のレベルのユーザー機能は、少なくとも２００の濃度測定値（３２）を保存するユーザー機能と、１４日平均値（３４）を計算するユーザー機能と、日付及び時刻（３０）を表示するユーザー機能と、コンピューターデータインターフェイス（６０）を介して前記濃度測定値をダウンロードするユーザー機能とを含むようになされている、前記計測器。
【請求項２】
請求項１に記載の計測器において、選択された前記既定レベルを記憶するようになされたメモリ装置をさらに備える、前記計測器。
【請求項３】
請求項１に記載の計測器において、前記分析物はグルコースである、前記計測器。
【請求項４】
請求項１に記載の計測器において、前記複数の既定レベルは少なくとも第３の既定レベルを含み、該第３の既定レベルは、分析物濃度を表示することと、前記第１の既定レベルおよび前記第２の既定レベルではできない少なくとも第３のユーザー機能とを含む、前記計測器。
【請求項５】
請求項４に記載の計測器において、前記第１の既定レベルは、少なくとも２０の濃度測定値（２２）を保存するユーザー機能を含む、前記計測器。
【請求項６】
請求項４に記載の計測器において、前記第３の既定レベルは、少なくとも４００の濃度測定値（４２）を保存するユーザー機能と、濃度測定値の複数の多日平均値（４４）を計算するユーザー機能と、少なくとも２つの時間帯のそれぞれにおける日付及び時刻（３０）をそれぞれ表示するユーザー機能と、コンピューターデータインターフェイス（６０）を介して前記濃度測定値をダウンロードするユーザー機能と、少なくとも１つの高濃度測定値及び少なくとも１つの低濃度測定値を表示するユーザー機能と、検査時間アラーム（５２）を提供するユーザー機能と、濃度測定値を印付け（２７）するユーザー機能と、を含むようになされている、前記計測器。
【請求項７】
分析物濃度測定値を求めかつ記憶するようになされた計測器にしてユーザーに対して情報を表示するようになされたディスプレイ（１２）を有する計測器を使用する方法であって、
ユーザーインターフェイス（６０）にして、ユーザー機能に関する複数の既定レベルを有するインターフェイス（６０）を介して前記ディスプレイ（１２）上に情報を表示することと、
前記複数の既定レベルのうちの１つを選択することと、
選択された該既定レベルと関連付けられたユーザー機能を表示することと、を備え、
前記複数の既定レベルが、少なくとも第１の既定レベルおよび第２の既定レベルを含み、前記第１の既定レベルは分析物濃度を表示することを含み、前記第２の既定レベルは分析物濃度を表示することと、前記第１の既定レベルではできない少なくとも一つの第２のレベルのユーザー機能とを含み、
前記第２のレベルのユーザー機能は、少なくとも２００の濃度測定値（３２）を保存するユーザー機能と、１４日平均値（３４）を計算するユーザー機能と、日付及び時刻（３０）を表示するユーザー機能と、コンピューターデータインターフェイス（６０）を介して前記濃度測定値をダウンロードするユーザー機能とを含むようになされている、前記方法。
【請求項８】
請求項７に記載の方法において、選択された前記既定レベルを記憶する行為をさらに含む、前記方法。
【請求項９】
請求項７に記載の方法において、前記第２の既定レベルは、分析物濃度を表示することと、前記少なくとも一つの第２のレベルのユーザー機能とを同時に行うことができる、前記方法。
【請求項１０】
請求項７に記載の方法において、前記複数の既定レベルは少なくとも第３の既定レベルを含み、該第３の既定レベルは、分析物濃度を表示することと、前記第１の既定レベルおよび前記第２の既定レベルではできない少なくとも第３のユーザー機能とを含む、前記方法。
【請求項１１】
請求項７に記載の方法において、前記第１の既定レベルは、少なくとも２０の濃度測定値（２２）を保存するユーザー機能を含むようになされている、前記方法。
【請求項１２】
請求項１０に記載の方法において、前記第３の既定レベルは、少なくとも４００の濃度測定値（４２）を保存するユーザー機能と、濃度測定値の複数の多日平均値（４４）を計算するユーザー機能と、少なくとも２つの時間帯のそれぞれにおける日付及び時刻（３０）をそれぞれ表示するユーザー機能と、コンピューターデータインターフェイス（６０）を介して前記濃度測定値をダウンロードするユーザー機能と、少なくとも１つの高濃度測定値及び少なくとも１つの低濃度測定値を表示するユーザー機能と、検査時間アラーム（５２）を提供するユーザー機能と、濃度測定値を印付け（２７）するユーザー機能と、を含むようになされている、前記方法。
【請求項１３】
請求項１に記載の計測器であって、
該ユーザーにより選択されるようになされた、ユーザー機能に関する第１、第２及び第３の少なくとも３つの既定レベルを有し、
前記第１の既定レベルは、第１の大きさの一組の情報を記憶するようになされた第１のユーザー機能を含み、前記第２の既定レベルは、前記第１の大きさよりも大きい第２の大きさの一組の情報を記憶するようになされた第２のユーザー機能を含み、前記第３の既定レベルは、第２の大きさよりも大きい第３の大きさの一組の情報を記憶するようになされた第３のユーザー機能を含む、
前記計測器。
【請求項１４】
請求項７に記載の計測器を使用する方法であって、
前記インターフェイス（６０）は、ユーザー機能に関する第１、第２及び第３の少なくとも３つの既定レベルを有し、
前記第１の既定レベルは、第１の大きさの一組の情報を記憶するようになされた第１のユーザー機能を含み、前記第２の既定レベルは、前記第１の大きさよりも大きい第２の大きさの一組の情報を記憶するようになされた第２のユーザー機能を含み、前記第３の既定レベルは、第２の大きさよりも大きい第３の大きさの一組の情報を記憶するようになされた第３のユーザー機能を含む、前記方法。
【発明の詳細な説明】
【技術分野】
【０００１】
本発明は全体として計測器及び該計測器を使用する方法に関し、より詳細にはユーザーがユーザー機能に関する複数の既定レベルの１つを選択するのを許容する多レベルユーザーインターフェイスを有する計測器に関する。
【背景技術】
【０００２】
体液中の分析物の定量は、一定の生理学的異常の診断及び管理において非常に重要である。例えば、乳酸、コレステロール、ビリルビン及びグルコースの値は一定の人々においては監視されるべきである。特に、体液中のグルコースの値を求めることは、体液中のグルコース濃度を頻繁にチェックして飲食物におけるグルコース摂取量を調節しなければならない糖尿病の人々には重要である。
【０００３】
糖尿病の人々はしばしば血中グルコース計測器を介して彼らの血中グルコースレベルを検査する。現在のいくらかのグルコース計測器は、ユーザーがグルコース計測器の一定の機能をプログラムするのを許容するようになされている。これらの種類のグルコース計測器では、ユーザーは計測器のプログラムの仕方についていくらかの知識を有しなければならず、あるいはしばしば複雑な取扱説明書を読みかつ理解できなければならない。代替的に、いくらかのグルコース計測器は、ユーザー入力を受入れるようにはなされておらず、代りに、予めプログラムされた機能を有する。この予めプログラムされた機能は、ユーザーがグルコース計測器をカスタマイズすることを許容しない。ユーザーがグルコース計測器を容易にカスタマイズできるようにすることは望ましいであろう。
【発明の開示】
【０００４】
本発明の１つの実施の形態によれば、分析物濃度測定値を求めかつ記憶するようになされた計測器が開示される。グルコース計測器は、計測器のユーザーに対して情報を表示するようになされたディスプレイと、ユーザーのためにディスプレイを制御するインターフェイスとを含む。インターフェイスは、ユーザーにより選択されるようになされた、ユーザー機能に関する複数の既定レベルを有する。グルコース計測器は、ユーザーがユーザー機能に関する複数の既定レベルのうちの１つを選択するのを許容するようになされた少なくとも１つのユーザー入力機構をさらに含む。
【０００５】
本発明の１つの実施の形態によれば、計測器を使用する方法が開示される。この計測器は、分析物濃度測定値を求めかつ記憶するようになされている。計測器はユーザーに対して情報を表示するようになされたディスプレイを含む。本方法は、ユーザー機能に関する複数の既定レベルを有するユーザーインターフェイスを介してディスプレイ上に情報を表示するステップを備える。本方法は、複数の規定レベルの１つを選択するステップと、選択された既定レベルと関連付けられたユーザー機能を表示するステップとをさらに備える。
【０００６】
分析物濃度測定値を求めかつ記憶するようになされた計測器は、計測器のユーザーに対して情報を表示するようになされたディスプレイと、ユーザーのためにディスプレイを制御するインターフェイスとを含む。インターフェイスは、ユーザーにより選択されるようになされた、ユーザー機能に関する少なくとも３つの既定レベルを有する。計測器は、ユーザーが、ユーザー機能に関する少なくとも３つの既定レベルのうちの１つを選択するのを許容するようになされた少なくとも１つのユーザー入力機構をさらに含む。
【０００７】
分析物濃度測定値を求めかつ記憶するようになされた計測器−該計測器はユーザーに対して情報を表示するようになされたディスプレイを有する−を使用する方法は、ユーザー機能に関する少なくとも３つの既定レベルを有するユーザーインターフェイスを介してディスプレイ上に情報を表示する行為と、少なくとも３つの既定レベルのうちの１つを選択する行為と、選択された既定レベルと関連付けられたユーザー機能を表示する行為とを含む。
【０００８】
上述の本発明の概要は、本発明の各々の実施の形態又はすべての側面を表すことを意図しない。本発明の追加の特徴及び利点は以下に明らかにする詳細な説明及び図面から明白であろう。
【発明の実施の形態】
【０００９】
本発明は、ランセット装置で採取した体液試料における分析物濃度を求めかつ記憶するようになされた計測器に向けられている。採取され得る種類の分析物の例は、グルコース、脂質プロフィール（例えば、コレステロール、トリグリセリド、ＬＤＬ及びＨＤＬ）、微量アルブミン、ヘモグロビンＡ１Ｃ、フルクトース、乳酸又はビリルビンを含む。他の分析物濃度も求め得ると考えられる。分析物は、例えば全血試料、血清試料、血漿試料、ＩＳＦ（間質液）及び尿のような他の体液、並びに非体液中のものとし得る。この出願で使用される限り、“濃度”の用語は、分析物濃度、活性度（例えば、酵素及び電解質）、力価（例えば、抗体）又は所望の分析物を測定するのに使用される他の任意の測定濃度のことを指す。
【００１０】
本発明の１つの実施の形態は、図１ａ及び１ｂに示す計測器１０である。計測器１０は、計測器１０のユーザーに対して情報を表示するようになされたディスプレイ１２を有する。計測器１０は、ユーザーのためにディスプレイ１２を制御するインターフェイス１４をも有する。いくらかの実施の形態において、インターフェイス１４は、ユーザーにより選択されるようになされた、ユーザー機能に関する複数の既定レベルを有する。計測器１０は、ユーザーがユーザー機能に関する複数の既定レベルの一つを選択するのを許容するようになされた少なくとも１つのユーザー入力機構１５をも有する。ユーザー入力機構１５は、例えば押しボタン、スクロールバー、タッチスクリーン又はかかる品目の任意の組合せを含み得る。計測器１０は、選択された既定レベルを記憶するようになされたメモリ装置（図示せず）をも有する。ここでの残りの開示は、グルコース計測器に使用される多レベルユーザーインターフェイスに向けられるが、該ユーザーインターフェイスは他の分析物を求めるのに使用される計測器にも実装され得ることは理解されるべきである。
【００１１】
図１ａ及び１ｂは、複数の既定レベルの１つと関連付けられ得るいくらかのユーザー機能を有する計測器を示す。１つの実施の形態において、複数の既定レベルの１つは、比較的簡単で理解するのが容易なユーザー機能を含み得る。このレベルは、以前に計測器１０を使用したことのないユーザーにより、あるいはより高度な機能を必要としないユーザーにより選択され得る。すなわち、“ビギナー”又は“初心者”モードである。例えば、図１ａの計測器１０は、血中グルコース濃度測定値２０を表示する機能を含む。測定値２０は、血中グルコースレベルと関連付けられた値はもちろん、この測定値２０と関連付けられた単位も含む。濃度測定値２０に加えて、図１ｂの計測器１０は、操作者が一定数の濃度測定値２２を記憶させるのを許容する機能をも表示する。例えば、図１ｂにおいて、ユーザーがこの“ビギナー”モードにある間に、少なくとも２０の濃度測定値２２を記憶させることができる。濃度測定値２２は、ユーザーが後に濃度測定値２２を検索できるようにメモリ装置に記憶させ得る。このことは、ユーザーが数日の期間にわたって彼又は彼女の血中グルコース測定値を監視できるようにするのに望ましい。この機能及び他の機能は、入力機構１５を使用して選択し得る。例えば、ユーザーは入力機構１５を使用して、複数の既定レベルの１つと関連付けられた機能のリストを表示させ得る。ユーザーは機能のリストをスクロールし、該リストから特定の機能を選択することができる。
【００１２】
ここに列記した機能に加えて、他のユーザー機能を“ビギナー”モードで利用可能とし得ると考えられる。いくつかの実施の形態において、これらの機能のいくらかは、他のモード、すなわち中間及び上級モードでも利用可能な“標準”機能とし得る。例えば、図１ａ及び１ｂに示す、１つのかかる機能は、ユーザーにバッテリ残量が少ないことを知らせることであり、ディスプレイ１２上で低バッテリアイコン２４を用いて特定される。別の機能は、計測器１０の温度が計測器１０を動作させるのに必要な範囲を外れていることをユーザーに知らせることとし得る。この機能は温度計アイコン２５により示され得る。
【００１３】
“ビギナー”モードではもちろん、他のモードでも利用可能とし得る他の機能は、試料を検査ストリップに付けるようユーザーに知らせることとし得る。この機能は、試料及び検査ストリップアイコン２６により示され得る。追加として、ユーザーは計測器１０が適正な作動状態にあることを確認するため検査ストリップを使用することを必要とし得る。検査ストリップからの測定を、その後チェックマークアイコン２７を使用して印付けすることができる。代替的に又は追加として、チェックマークアイコン２７は、計測器１０により検査ストリップの濃度測定に自動的に適用され得る。さらに他の実施の形態において、計測器１０は、濃度測定２２を行うよう注意を促すものとしてユーザーによりセットされることができるブザー又はアラームを含み得る。ブザーアイコン２８は、ブザー又はアラームがセットされたことを示す。
【００１４】
一定数の濃度測定値を記憶することに加えて、追加のユーザー機能を利用可能とし得る。例えば、本発明の別の実施の形態において、複数の既定レベルの１つは、“ビギナー”レベルよりも多少高度なユーザー機能を表示するようになされ、より技術的知識のあるユーザー向けに設計された機能を含む。図２ａ、２ｂ及び２ｃに示すように、１つのかかる既定レベル（該レベルは“中間”レベルと呼ばれ得る）は、濃度測定値を記憶し及び表示することに関しより多くのユーザーオプションを提示する機能を含み得る。例えば、“中間”レベルと関連付けられたユーザー機能は、血中グルコース測定値２０に加えて、日時指示器３０を含み得る。追加として、“中間”レベルは、ユーザーがより多数の濃度測定値３２を記憶させるのを許容する機能をも含む。いくらかの実施の形態において、少なくとも２００の濃度測定値３２を記憶し得る。例えば、図２ｂの実施の形態に示すように、２４０の測定値を記憶し得る。他のユーザー機能は、ユーザーが濃度測定値３２の多日平均値３４を計算するのを許容し得る。例えば、１４日の平均値は図２ｃに示すように計算され得る。平均化機能が使用されていることを示すため、“Ａ”等の平均化アイコン３６が計測器１０上に表示し得る。さらに、これらの情報のすべてはコンピューターデータインターフェイス６０（図４参照）を介してダウンロードされ得る。これらのユーザー機能は、計測器１０の使用者に重要となり得る情報を記憶し、表示し及び計算する、より多くのやり方を提供する。加えて、医師又は他の医療専門家は、患者の血中グルコースレベルを監視するやり方として、これらの情報が彼らに利用可能であることを望み得る。
【００１５】
“ビギナー”モードに関してここに説明した１つ又は複数の機能等の他のユーザー機能も、ここに列記した機能に加えて“中間”モードで利用可能とし得ると考えられる。
上述の“ビギナー”及び“中間”レベルに加えて、追加のユーザー機能を第３の既定レベルに含ませ得る。このレベルは、図３ａ、３ｂ、３ｃ及び３ｄに図示するように、他のレベルよりも上級のユーザー機能と関連付けられ得る。例えば、計測器１０は、図３ａに示すように、地元時間帯又は現地時間帯と関連付けられた日付及び時刻を表示できる日時指示器４０を表示する機能を含み得る。追加として、“上級”レベルは、ユーザーがさらに多くの数の濃度測定値４２を記憶させるのを許容する機能を含み得る。いくらかの実施の形態において、少なくとも４００の濃度測定値４２を記憶させ得る。例えば、図３ｃの実施の形態に示すように、４８０の測定値を記憶させ得る。他のユーザー機能は、図３ｂに示すように、ユーザーが７日、１４日及び３０日平均値等の、多数の濃度測定値多日平均値４４を計算するのを許容し得る。“中間”モードにおけるように、平均化機能が使用されていることを示すため、“Ａ”等の平均化アイコン３６が計測器１０上に表示され得る。他の機能はユーザーが午前、午後及び夕方の平均値（図示せず）を計算するのを許容し得る。“中間”レベルのユーザー機能と同様に、すべての測定値及び平均値はコンピューターデータインターフェイス６０（図４参照）を介してダウンロードされ得る。
【００１６】
“上級”レベルに含まれ得る他のユーザー機能は、ユーザーが血中グルコース測定を行うことが必要な時にこれを示す検査アラーム５２を含み得る。検査アラーム５２の時刻は、ユーザーインターフェイスを介してプログラムされ得、あるいはユーザーにより入力され得る。検査アラーム５２に加えて、本発明のいくらかの実施の形態は、賦活されて一定の事象を一定の濃度測定値と関連付け得る各種の標識を含み得る。これらの標識は、ユーザーが印付けされた濃度測定値を同じ又は類似の条件下で測定された他の測定値と比較するのを許容する。いくらかの標識の例を図３ｄに示す。食前標識４６と食後標識４８とは、食事の前及び後に測定された濃度測定値をそれぞれラベル付けするのに使用することができる。いくらかの他の例は、ユーザーがある濃度測定値４２を印付けし、該濃度測定値４２をこの特定の濃度測定値４２と関連する覚書き及び／又はコメントと関連付けるのを許容する日誌標識５０を含む。これらの覚書きは、ユーザーのグルコースレベルを監視する医師に有用な、濃度測定４２を行う前に生じた何らかの状態又は事象に関連し得る。他のいくらかの標識は運動標識、投薬標識、絶食時間標識及び病気標識を含み得る。他の多くの標識を本発明と共に使用し得ると考えられる。これらのすべての標識は濃度測定値をラベル付けするのに使用して、ユーザー又は医師が濃度測定値を一日のうちに生じかつ濃度測定値に影響を及ぼし得る一定の活動と関連付けることができるようにし得る。
【００１７】
ここに列記した機能に加えて他のユーザー機能を“上級”モードで利用可能とし得ると考えられる。かかる“上級”機能は、ユーザーがヘマトクリット測定値等の他の分析物と関連付けられた測定値を計算するのを許容し得る。他の機能は測定値が高かった又は低かった時にこれをユーザーに知らせることを含み得る。この機能により、計測器１０は一連の高い測定値と一連の低い測定値を表示して、ユーザーがその測定値の範囲を視認でき、彼又は彼女の飲食物、活動その他を適宜に調節できるようにし得る。その上、高い又は低い測定値は、ユーザーの医師によるさらなる評価のため後に検索できるようメモリ装置に保存することができる。“ビギナー”及び“中間”モードに関してここに説明した１つ又は複数の機能等の他のユーザー機能も“上級”モードで利用可能とし得ると考えられる。
【００１８】
いくらかの実施の形態において、グルコース計測器は最初は“ビギナー”レベルに設定して、最も技術的に劣ったユーザーでさえ直ぐに使用できる簡単で分りやすいグルコース計測器とするようにし得る。より上級のレベルは、ユーザー入力機構１５を使用して賦活できるセットアップモードを使用して選択し得る。一たび賦活されたら、ユーザーはユーザー入力機構１５を使用して、時刻、日付及び他のユーザー設定可能環境をセットすることができる。他の実施の形態において、グルコース計測器は最初は“中間”又は“上級”レベルに設定し得る。さらに他の実施の形態において、ユーザーは最初に既定レベルをスクロールし、彼又は彼女の必要性に最も適合するレベルを選択し得る。
【００１９】
Ａｓｃｅｎｓｉａ（登録商標）ＣＯＮＴＯＵＲ（登録商標）血中グルコース監視システム及びＡｓｃｅｎｓｉａ（登録商標）ＢＲＥＥＺＥ（登録商標）血中グルコース監視システム等の米国ニューヨーク州タリータウンのバイエルヘルスケアＬＬＣにより製造され及び／又は販売される計測器等のいくらかの市販の計測器は、本発明を組込むよう再設計され得る。上に列記した計測器に加え、他の計測器もここに説明した本発明を組込み得ると考えられる。
【００２０】
本発明は、このように、ユーザーが彼又は彼女の好み、必要性及び能力に応じて一定の既定レベルのユーザー機能を選択するのを許容する。それほど精通していないユーザーは、より少ない数のより簡単な機能を有するレベル、すなわち“ビギナー”又は“中間”レベルを選び得、一方より精通したユーザーはより複雑な機能及び特性を有する追加の機能を提示するレベルを選び得る。ここに説明した複数の既定レベルを有する計測器は、多数のユーザータイプに訴えることができ、１人のユーザーは彼又は彼女の必要性が及び／又は機能の理解が進むにつれて他のレベルを選択することができる。
代替的な実施の形態Ａ
分析物濃度測定値を求めかつ記憶するようになされた計測器であって、
該計測器のユーザーに対して情報を表示するようになされたディスプレイと、
該ユーザーのために該ディスプレイを制御するインターフェイスにして、該ユーザーにより選択されるようになされた、ユーザー機能に関する複数の既定レベルを有するインターフェイスと、
該ユーザーがユーザー機能に関する前記複数の既定レベルの１つを選択するのを許容するようになされた少なくとも１つのユーザー入力機構とを備える、計測器。
代替的な実施の形態Ｂ
代替的な実施の形態Ａに記載の計測器において、前記選択された既定レベルを記憶するようになされたメモリ装置をさらに備える、計測器。
代替的な実施の形態Ｃ
代替的な実施の形態Ａに記載の計測器において、前記分析物はグルコースである、計測器。
代替的な実施の形態Ｄ
代替的な実施の形態Ａに記載の計測器において、前記複数の既定レベルは少なくとも３つの既定レベルを含む、計測器。
代替的な実施の形態Ｅ
代替的な実施の形態Ｄに記載の計測器において、第１の既定レベルは少なくとも２０の濃度測定値を保存するユーザー機能を含む、計測器。
代替的な実施の形態Ｆ
代替的な実施の形態Ｄに記載の計測器において、第２の既定レベルは、少なくとも２００の濃度測定値を保存するユーザー機能と、１４日平均値を計算するユーザー機能と、日付及び時刻を表示するユーザー機能と、コンピューターデータインターフェイスを介して前記濃度測定値をダウンロードするユーザー機能とを含むようになされている、計測器。
代替的な実施の形態Ｇ
代替的な実施の形態Ｄに記載の計測器において、第３の既定レベルは、少なくとも４００の濃度測定値を保存するユーザー機能と、濃度測定値の複数の多日平均値を計算するユーザー機能と、少なくとも２つの時間帯の日付及び時刻を表示するユーザー機能と、コンピューターデータインターフェイスを介して前記濃度測定値をダウンロードするユーザー機能と、少なくとも１つの高濃度測定値及び少なくとも１つの低濃度測定値を表示するユーザー機能と、検査時間アラームを提供するユーザー機能と、濃度測定値を印付けするユーザー機能とを含むようになされている、計測器。
代替的なプロセスＨ
分析物濃度測定値を求めかつ記憶するようになされた計測器にしてユーザーに対して情報を表示するようになされたディスプレイを有する計測器を使用する方法であって、
ユーザーインターフェイスにしてユーザー機能に関する複数の既定レベルを有するインターフェイスを介して前記ディスプレイ上に情報を表示する行為と、
前記複数の既定レベルの１つを選択する行為と、
該選択された既定レベルと関連付けられたユーザー機能を表示する行為とを備える、方法。
代替的なプロセスＩ
代替的なプロセスＨに記載の方法において、前記選択された既定レベルを記憶する行為をさらに含む、方法。
代替的なプロセスＪ
代替的なプロセスＨに記載の方法において、前記分析物はグルコースである、方法。
代替的なプロセスＫ
代替的なプロセスＨに記載の方法において、前記複数の既定レベルは少なくとも３つの既定レベルを含む、方法。
代替的なプロセスＬ
代替的なプロセスＫに記載の方法において、第１の既定レベルは少なくとも２０の濃度測定値を保存するユーザー機能を含むようになされている、方法。
代替的なプロセスＭ
代替的なプロセスＫに記載の方法において、第２の既定レベルは、少なくとも２００の濃度測定値を保存するユーザー機能と、１４日平均値を計算するユーザー機能と、日付及び時刻を表示するユーザー機能と、コンピューターデータインターフェイスを介して前記濃度測定値をダウンロードするユーザー機能とを含むようになされている、方法。
代替的なプロセスＮ
代替的なプロセスＫに記載の方法において、第３の既定レベルは、少なくとも４００の濃度測定値を保存するユーザー機能と、濃度測定値の複数の多日平均値を計算するユーザー機能と、少なくとも２つの時間帯の日付及び時刻を表示するユーザー機能と、コンピューターデータインターフェイスを介して前記濃度測定値をダウンロードするユーザー機能と、少なくとも１つの高濃度測定値及び少なくとも１つの低濃度測定値を表示するユーザー機能と、検査時間アラームを提供するユーザー機能と、濃度測定値を印付けするユーザー機能とを含むようになされている、方法。
代替的な実施の形態Ｏ
分析物濃度測定値を求めかつ記憶するようになされた計測器であって、
該計測器のユーザーに対して情報を表示するようになされたディスプレイと、
該ユーザーのために該ディスプレイを制御するインターフェイスにして、該ユーザーにより選択されるようになされたユーザー機能に関する少なくとも３つの既定レベルを有するインターフェイスと、
該ユーザーがユーザー機能に関する前記少なくとも３つの既定レベルの１つを選択するのを許容するようになされた少なくとも１つのユーザー入力機構とを備える、計測器。
代替的なプロセスＰ
分析物濃度測定値を求めかつ記憶するようになされた計測器にしてユーザーに対して情報を表示するようになされたディスプレイを有する計測器を使用する方法であって、
ユーザーインターフェイスにしてユーザー機能に関する少なくとも３つの既定レベルを有するインターフェイスを介して前記ディスプレイ上に情報を表示する行為と、
前記少なくとも３つの既定レベルの１つを選択する行為と、
前記選択された既定レベルと関連付けられたユーザー機能を表示する行為とを備える、方法。
【００２１】
【図１】図１ａ及び１ｂは、本発明の１つの実施の形態によるユーザー機能に関する第１の既定レベルを有する計測器の正面図である。
【図２】図２ａ、２ｂ及び２ｃは、本発明の別の実施の形態によるユーザー機能に関する第２の既定レベルを有する計測器の正面図である。
【図３】図３ａ、３ｂ、３ｃ及び３ｄは、本発明のさらなる実施の形態によるユーザー機能に関する第３の既定レベルを有する計測器の正面図である。
【図４】コンピューターデータインターフェイスを有する計測器の正面図である。
【図面の簡単な説明】
【００２２】
【図１】図１ａ及び１ｂは、本発明の１つの実施の形態による第１のユーザー機能の既定レベルを有する計測器の正面図である。
【図２】図２ａ、２ｂ及び２ｃは、本発明の別の実施の形態による第２のユーザー機能の既定レベルを有する計測器の正面図である。
【図３】図３ａ、３ｂ、３ｃ及び３ｄは、本発明のさらなる実施の形態による第３のユーザー機能の既定レベルを有する計測器の正面図である。
【図４】コンピューターデータインターフェイスを有する計測器の正面図である。
【符号の説明】
【００２３】
１０・・・・・・計測器
１２・・・・・・ディスプレイ
１４・・・・・・インターフェイス
１５・・・・・・ユーザー入力機構
２０・・・・・・測定値
２２・・・・・・測定値数
２４・・・・・・バッテリアイコン
２５・・・・・・温度計アイコン
２６・・・・・・試料及び検査ストリップアイコン
２７・・・・・・チェックマークアイコン
２８・・・・・・ブザーアイコン
３０・・・・・・日時指示器
３２・・・・・・測定値数
３４・・・・・・多日平均値
３６・・・・・・平均化アイコン
４０・・・・・・日時指示器
４２・・・・・・測定値数
４４・・・・・・多日平均値
４６・・・・・・食前標識
４８・・・・・・食後標識
５０・・・・・・日誌標識
５２・・・・・・検査アラーム
６０・・・・・・コンピューターデータインターフェイス
【図１ａ】
0005528701.tif 000002
【図１ｂ】
0005528701.tif 000003
【図２ａ】
0005528701.tif 000004
【図２ｂ】
0005528701.tif 000005
【図２ｃ】
0005528701.tif 000006
【図３ａ】
0005528701.tif 000007
【図３ｂ】
0005528701.tif 000008
【図３ｃ】
0005528701.tif 000009
【図３ｄ】
0005528701.tif 000010
【図４】
0005528701.tif 000011